(57)【特許請求の範囲】
【請求項１】
音声を入力するマイクと、
前記マイクから入力された音声から薬剤に関する情報を認識する音声認識手段と、
前記音声認識手段が認識した薬剤を記憶する第一記憶手段と、
薬剤を識別する情報を読み取る読取手段と、
前記読取手段が読み取った薬剤を記憶する第二記憶手段と、
前記第二記憶手段に記憶されている薬剤と、前記第一記憶手段に記憶されている薬剤とに差分が有るか否かを判定する判定手段と、
前記判定手段が前記第二記憶手段には記憶されているが前記第一記憶手段には記憶されていない薬剤があると判定した場合に、薬剤の一覧の該当する薬剤に、音声がないことを示すマークを付加することで報知する報知手段と、
を備えた薬剤登録装置。
【請求項２】
前記報知手段は、前記第一記憶手段には記憶されているが前記第二記憶手段には記憶されていない薬剤が有ることを示す報知画面を表示して報知する、
請求項１に記載の薬剤登録装置。
【請求項３】
前記報知手段は、報知画面において、前記第一記憶手段には記憶されているが前記第二記憶手段には記憶されていない薬剤を列挙する、
請求項２に記載の薬剤登録装置。
【請求項４】
音声を入力するマイクを備えたコンピュータを、
前記マイクから入力された音声から薬剤に関する情報を認識する音声認識手段と、
前記音声認識手段が認識した薬剤を記憶する第一記憶手段と、
薬剤を識別する情報を読み取る読取手段と、
前記読取手段が読み取った薬剤を記憶する第二記憶手段と、
前記第二記憶手段に記憶されている薬剤と、前記第一記憶手段に記憶されている薬剤とに差分が有るか否かを判定する判定手段と、
前記判定手段が前記第二記憶手段には記憶されているが前記第一記憶手段には記憶されていない薬剤があると判定した場合に、薬剤の一覧の該当する薬剤に、音声がないことを示すマークを付加することで報知する報知手段と、
として機能させるプログラム。
【発明の詳細な説明】
【技術分野】
【０００１】
本発明の実施形態は、薬剤登録装置およびプログラムに関する。
【背景技術】
【０００２】
従来、薬剤の取り違い等の過誤の発生を防止するために幾つかのシステムが提案されている。例えば、特許文献１記載のシステムにおいては、投薬しようとしている薬剤の容器に付されたバーコードで特定される薬剤情報と、投薬すべき薬剤の情報とを照合し、薬剤の誤使用を防止している。
【０００３】
手術室においては、看護師が、手術で使用された薬剤の空容器を手術後に集め、使用薬剤についての集計結果を伝票に手作業で記入し、医師の承認を得た後、伝票を医事課へ提出する作業を行っていた。そこで、装置によって使用薬剤を記録する手法が考えられる。
【０００４】
しかしながら、装置を用いて使用薬剤を登録した場合であっても医師の承認は必須であるため、医師の確認作業による負担は軽減していない。
【発明の概要】
【発明が解決しようとする課題】
【０００５】
本発明が解決しようとする課題は、医師の確認作業による負担を軽減することが可能な薬剤登録装置およびプログラムを提供することである。
【課題を解決するための手段】
【０００６】
実施形態の薬剤登録装置は、マイクと、音声認識手段と、第一記憶手段と、読取手段と、第二記憶手段と、判定手段と、報知手段と、を備える。前記マイクは、音声を入力する。前記音声認識手段は、前記マイクから入力された音声から薬剤に関する情報を認識する。前記第一記憶手段は、前記音声認識手段が認識した薬剤を記憶する。前記読取手段は、薬剤を識別する情報を読み取る。前記第二記憶手段は、前記読取手段が読み取った薬剤を記憶する。前記判定手段は、前記第二記憶手段に記憶されている薬剤と、前記第一記憶手段に記憶されている薬剤とに差分が有るか否かを判定する。前記報知手段は、前記判定手段が前記第二記憶手段には記憶されているが前記第一記憶手段には記憶されていない薬剤があると判定した場合に、薬剤の一覧の該当する薬剤に、音声がないことを示すマークを付加することで報知する。
【図面の簡単な説明】
【０００７】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、薬剤登録装置の機能構成を示すブロック図である。
【図５】図５は、薬剤情報が印字された使用品伝票を示す正面図である。
【図６】図６は、薬剤登録装置のＭＰＵが制御プログラムに従って実行する薬剤の音声認識処理の流れを示すフローチャートである。
【図７】図７は、音声認識画面の一例を示す説明図である。
【図８】図８は、薬剤登録装置のＭＰＵが制御プログラムに従って実行する使用薬剤登録処理の流れを示すフローチャートである。
【図９】図９は、薬剤登録開始画面の一例を示す説明図である。
【図１０】図１０は、薬剤登録画面の一例を示す説明図である。
【図１１】図１１は、報知画面の一例を示す説明図である。
【発明を実施するための形態】
【０００８】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【０００９】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。薬剤登録装置２０は、手術室に配置され、看護師によって手術中に使用された薬剤、あるいは救急の場などにおいて看護師や薬剤師等によって緊急的に使用された薬剤の登録支援を行うための装置である。本実施形態においては、薬剤登録装置２０は、手術室に配置されるものであって、手術中に医師が音声で指示した薬剤を音声認識にて識別し記憶する。その後、薬剤登録装置２０は、音声認識にて識別し記憶された薬剤と、手術中に使用された薬剤とを比較して確認しながら実施される薬剤の登録支援に用いられることを想定する。
【００１０】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１１】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３と、音声を入力するためのマイク５０とを備える。
【００１２】
装置本体部２４は、オペレータとなる看護師が各種操作を行うとともに、使用された薬剤のリスト等の各種情報を表示可能なタッチパネルディスプレイ２１を備えている。
【００１３】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）などの光源とを有している。スキャナ２２は、看護師ＩＤ（IDentification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１４】
なお、スキャナ２２は、図２に示すようなテーブル上に載置する形状に限るものではなく、床上に立設させるスタンド形状であってもよい。
【００１５】
また、薬剤登録装置２０は、薬剤の重量を測定する秤や、薬剤に付されたＲＦＩＤ（Radio  Frequency  IDentification）タグとの間でデータの読取り／書込みを行うＲＦＩＤリーダライタ等を備えていてもよい。
【００１６】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００１７】
ここで、タッチパネルディスプレイ２１、スキャナ２２、プリンタ２３、通信インタフェース３８、スピーカ３７及びマイク５０は、入出力Ｉ／Ｏ３９を介してバス４０に接続されている。このバス４０には、ＭＰＵ３１、ＲＯＭ３２、ＲＡＭ３３及び外部記憶装置３４が接続されている。
【００１８】
なお、タッチパネルディスプレイ２１は、表示部であるディスプレイ３５及びタッチパネル３６を主体に構成されている。
【００１９】
また、スピーカ３７は、警告音を発する場合などに使用される。
【００２０】
また、記憶部である外部記憶装置３４は、使用薬剤記憶テーブルＴ１と、薬剤マスタＤＢ１と、音声認識薬剤テーブルＴ２と、音声認識薬剤マスタＤＢ２とを備えている。
【００２１】
第二記憶手段である使用薬剤記憶テーブルＴ１は、使用された薬剤についての集計結果を記憶する。薬剤マスタＤＢ１は、薬剤情報を記憶した薬剤データベースである。薬剤マスタＤＢ１は、例えば、コード情報と、薬剤名称と、薬剤単位と、製造会社と、を関連付けて記憶する。
【００２２】
第一記憶手段である音声認識薬剤テーブルＴ２は、音声認識された薬剤や薬剤の量について記憶する。音声認識薬剤マスタＤＢ２は、マイク５０から入力された音声について、薬剤の音声認識に使用するデータベースである。音声認識薬剤マスタＤＢ２は、医療辞典などであり、医薬品、漢方、病名、症状などの用語を記憶する。
【００２３】
このような構成により、薬剤登録装置２０のＭＰＵ３１は、ＲＯＭ３２や外部記憶装置３４に記憶された制御プログラムに従って動作することで、使用された薬剤の登録支援を行う。
【００２４】
次に、実施形態にかかる薬剤登録装置２０が有する特徴的な機能について説明する。図４は、薬剤登録装置２０の機能構成を示すブロック図である。ＭＰＵ３１は、ＲＯＭ３２や外部記憶装置３４に記憶された制御プログラムに従って動作することで、図４に示すように、登録手段３１１と、表示制御手段３１２と、読取手段３１３と、識別手段３１４と、印字制御手段３１５と、報知手段３１６と、音声認識手段３１７と、判定手段３１８と、として機能する。
【００２５】
読取手段３１３は、スキャナ２２がスキャンした撮像画像から、薬剤の識別子を読み取る。具体的には、読取手段３１３は、使用される薬剤に付されたコードシンボルのコード情報または使用される薬剤の全部または一部の外面情報を読み取る。バーコードや二次元コードなどのコードシンボルからコード情報を検出する処理については、従来からある技術なのでここでの説明は省略する。
【００２６】
識別手段３１４は、読取手段３１３による読み取り結果として得られた情報（コード情報または外面情報）に基づいて薬剤を識別して薬剤情報を抽出する。具体的には、識別手段３１４は、読取手段３１３が読み取ったコード情報と一致するコード情報を薬剤マスタから検索することで識別する。
【００２７】
また、薬剤の外面情報に基づいて薬剤を識別する方法は、予めコード情報に対応付けて薬剤の外面情報をテーブルとして記憶しておき、外面情報に基づく薬剤の薬剤情報をテーブルから抽出するようにすればよい。
【００２８】
登録手段３１１は、識別手段３１４で識別された薬剤を、外部記憶装置３４の使用薬剤記憶テーブルＴ１に登録する。
【００２９】
表示制御手段３１２は、表示部であるディスプレイ３５に、識別手段３１４が識別した薬剤情報の表示を制御する。
【００３０】
音声認識手段３１７は、マイク５０から入力された音声の内容を抽出する。具体的には、音声認識手段３１７は、マイク５０から入力された音声情報に基づいて音声を認識し、文字情報に変換する。その後、音声認識手段３１７は、変換された文字情報と、音声認識薬剤マスタＤＢ２とを比較する。文字情報に薬剤名や薬剤の通称などの薬剤を特定する情報が含まれている場合に、音声認識手段３１７は、認識した薬剤を音声認識薬剤テーブルＴ２に記憶させる。例えば、医師が「ＣＣＣＣ薬剤を４００ｍＬください」と看護師に指示した場合に、音声認識手段３１７は、音声情報からなる指示を文字情報に変換する。そして、音声認識手段３１７は、音声認識薬剤マスタＤＢ２と比較してＣＣＣＣ薬剤が薬剤であると認識する。また、音声認識手段３１７は、４００ｍＬをＣＣＣＣ薬剤の量を示す情報であるとして、音声認識薬剤テーブルＴ２に記憶させる。
【００３１】
判定手段３１８は、使用薬剤記憶テーブルＴ１に記憶されている薬剤と、音声認識薬剤テーブルＴ２とを比較して差分の有無を判定する。これにより、判定手段３１８は、読取手段３１３が読み取った薬剤と、音声認識手段３１７が識別した薬剤とを比較して差分の有無を判定する。
【００３２】
報知手段３１６は、判定手段３１８が差分を有していると判定した場合に報知する。報知手段３１６は、差分内容をディスプレイ３５に表示させることで報知する。または、スピーカ３７から警告音などを発生させることで報知する。
【００３３】
印字制御手段３１５は、印字部であるプリンタ２３を制御して、識別手段３１４が識別した薬剤情報を印字させる。例えば、印字制御手段３１５は、使用した薬剤の情報が印字されている使用品伝票Ｄを印字させる。
【００３４】
ここで、図５は、薬剤情報が印字された使用品伝票Ｄを示す正面図である。使用品伝票Ｄは、図５に示すように、使用薬剤記憶テーブルＴ１に登録された薬剤の一覧を印字した伝票である。使用品伝票Ｄは、ヘッダＤ１と、基本情報Ｄ２と、使用薬剤データＤ３と、廃棄品データＤ４と、承認印欄Ｄ５とを備える。ヘッダＤ１は、伝票名称を印字する領域である。基本情報Ｄ２は、出力日時と、対象期間と、発行場所と、作業者と、患者数とを印字する領域である。
【００３５】
使用薬剤データＤ３は、Ｎｏ列と、薬品名列と、単位列と、本数列と、定数列と、を印字する。Ｎｏ列は、分類名と、項目Ｎｏとが印字される。分類名は、薬剤の分類の名称である。また、分類名は、分類番号の順番で印字される。項目Ｎｏは、薬剤種別ごとに付与される一連の番号であって、分類名が異なる場合であっても一連の番号が継続して付与される。
【００３６】
薬品名列は、薬剤名と、音声なしマークＭ１と、薬剤のコード番号と、を印字している。薬剤名は、薬剤の名称である。音声なしマークＭ１は、使用薬剤記憶テーブルＴ１には登録されているが、音声認識薬剤テーブルＴ２には登録されていない薬剤に印字されるマークである。また、音声なしマークＭ１が付加されている場合に、薬剤名は、太字にて印字される。このように、音声なしマークＭ１を印字したり、薬剤名を太字で印字するなどの方法により強調することで、注意を喚起する。図５は、薬剤名「ＤＤＤＤ薬」及び「ＥＥＥＥ薬」に音声なしマークＭ１が印字された状態を示している。
【００３７】
なお、音声なしマークＭ１が印字された場合の薬剤名の強調表示は、表示する色を変えることで強調してもよい。または、薬剤名の強調表示は、薬剤名のフォントや大きさを変えることで強調してもよい。
【００３８】
薬剤のコード番号は、薬剤のコードシンボルに付されている番号である。
【００３９】
次に、上述した実施形態にかかる薬剤登録装置２０のＭＰＵ３１が制御プログラムに従って実行する使用薬剤登録処理について説明する。実施形態にかかる薬剤登録装置２０は、手術室などで医師から受けた薬剤の投与指示について薬剤を音声認識した後、使用された薬剤のコードシンボルや薬剤の画像などをスキャンし、薬剤登録処理を実行する。
【００４０】
まず、薬剤登録装置２０のＭＰＵ３１が制御プログラムに従って実行する薬剤の音声認識処理について説明する。図６は、薬剤登録装置２０のＭＰＵ３１が制御プログラムに従って実行する薬剤の音声認識処理の流れを示すフローチャートである。
【００４１】
薬剤登録装置２０のＭＰＵ３１は、初期状態として、ディスプレイ３５に患者登録画面を表示する（ステップＳ１１）。したがって、オペレータ（看護師）は、患者登録処理を行うために、患者のリストバンドに付されている患者ＩＤのコードシンボルをスキャナ２２の前にかざして、患者ＩＤを読み込ませる。
【００４２】
薬剤登録装置２０のＭＰＵ３１は、患者登録処理により患者ＩＤを登録すると（ステップＳ１２；Ｙｅｓ）、ディスプレイ３５の表示画面に音声認識画面Ｇ１を表示させる（ステップＳ１３）。なお、薬剤登録装置２０のＭＰＵ３１は、患者ＩＤが登録できない場合（ステップＳ１２；Ｎｏ）、ステップＳ１１に戻り、患者登録画面を再度表示する。なお、患者ＩＤの登録は、スキャナ２２を使用せずに手入力にて登録してもよい。
【００４３】
ここで、図７は、音声認識画面Ｇ１の一例を示す説明図である。音声認識画面Ｇ１は、図７に示すように、「開始ボタンを押して音声認識を開始してください。」音声認識の開始を促す画面が表示される。音声認識画面Ｇ１は、開始ボタンＢ１と、完了ボタンＢ２とを有する。薬剤登録装置２０のＭＰＵ３１は、開始ボタンＢ１が押下されるか否かを判定する（ステップＳ１４）。開始ボタンＢ１が押下された場合に（ステップＳ１４；Ｙｅｓ）、薬剤登録装置２０のＭＰＵ３１は、音声認識を開始する。一方、開始ボタンＢ１が押下されない場合に（ステップＳ１４；Ｎｏ）、薬剤登録装置２０のＭＰＵ３１は、待機する。
【００４４】
医師が手術中などに発する音声による指示がマイク５０を介して入力された薬剤登録装置２０のＭＰＵ３１は、音声情報を文字情報に変換する（ステップＳ１５）。
【００４５】
次いで、薬剤登録装置２０のＭＰＵ３１は、文字情報と、音声認識薬剤マスタＤＢ２とを比較して薬剤を特定する情報が検出されるか否かを判定する（ステップＳ１６）。薬剤を特定する情報が検出されない場合に（ステップＳ１６；Ｎｏ）、薬剤登録装置２０のＭＰＵ３１は、ステップＳ１８に移行する。一方、薬剤を特定する情報が検出された場合に（ステップＳ１６；Ｙｅｓ）、薬剤登録装置２０のＭＰＵ３１は、検出された薬剤を音声認識薬剤テーブルＴ２に登録させる（ステップＳ１７）。
【００４６】
次いで、薬剤登録装置２０のＭＰＵ３１は、完了ボタンＢ２が押下され音声認識を終了するか否かを判定する（ステップＳ１８）。完了ボタンＢ２が押下されない場合に（ステップＳ１８；Ｎｏ）、薬剤登録装置２０のＭＰＵ３１は、ステップＳ１５に移行して音声認識を続行する。一方、完了ボタンＢ２が押下された場合に（ステップＳ１８；Ｙｅｓ）、薬剤登録装置２０のＭＰＵ３１は、音声認識を終了する。
【００４７】
次に、薬剤登録装置２０のＭＰＵ３１が制御プログラムに従って実行する使用薬剤登録処理について説明する。ここで、図８は、薬剤登録装置２０のＭＰＵ３１が制御プログラムに従って実行する使用薬剤登録処理の流れを示すフローチャートである。なお、前提として薬剤登録装置２０へのと、薬剤の音声認識処理と、ログイン処理と、患者登録処理とが完了しているものとする。
【００４８】
薬剤登録装置２０のＭＰＵ３１は、薬剤登録開始画面Ｇ２を表示する（ステップＳ３１）。ここで、図９は、薬剤登録開始画面Ｇ２の一例を示す説明図である。薬剤登録開始画面Ｇ２は、図９に示すように、薬剤のコードシンボルの読み取らせ方を表示することで薬剤登録を促す画面である。また、薬剤登録開始画面Ｇ２は、手入力ボタンＢ３を備える。手入力ボタンＢ３は、薬剤のコードシンボルに付されている数字を手入力で登録する場合に押下するボタンである。
【００４９】
次いで、スキャナ２２の前に薬剤がかざされた場合に、薬剤登録装置２０のＭＰＵ３１は、コードシンボルを読み取る（ステップＳ３２）。薬剤登録装置２０のＭＰＵ３１は、コードシンボルのコード情報と一致するコード情報を薬剤マスタＤＢ１から検索する（ステップＳ３３）。薬剤登録装置２０のＭＰＵ３１は、薬剤マスタＤＢ１の内容を使用薬剤記憶テーブルＴ１に登録する（ステップＳ３４）。
【００５０】
次いで、薬剤登録装置２０のＭＰＵ３１は、使用薬剤記憶テーブルＴ１に登録された内容を薬剤登録画面Ｇ３（図１０参照）に表示する（ステップＳ３５）。次いで、薬剤登録装置２０のＭＰＵ３１は、使用薬剤記憶テーブルＴ１に登録した薬剤が、音声認識結果である音声認識薬剤テーブルＴ２に含まれているか否かを判定する（ステップＳ３６）。
【００５１】
使用薬剤記憶テーブルＴ１に登録した薬剤が、音声認識薬剤テーブルＴ２に含まれている場合に（ステップＳ３６；Ｙｅｓ）、薬剤登録装置２０のＭＰＵ３１は、ステップＳ３８に移行する。一方、使用薬剤記憶テーブルＴ１に登録した薬剤が、音声認識薬剤テーブルＴ２に含まれていない場合に（ステップＳ３６；Ｎｏ）、薬剤登録装置２０のＭＰＵ３１は、薬剤登録画面Ｇ３に音声なしマークＭ２を付加して表示する（ステップＳ３７）。
【００５２】
ここで、図１０は、薬剤登録画面Ｇ３の一例を示す説明図である。薬剤登録画面Ｇ３は、図１０に示すように、使用薬剤記憶テーブルＴ１に登録された薬剤の一覧を表示する画面である。薬剤登録画面Ｇ３は、音声なしマークＭ２と、印刷ボタンＢ４とを備える。音声なしマークＭ２は、使用薬剤記憶テーブルＴ１には登録されているが、音声認識薬剤テーブルＴ２には登録されていない薬剤に印字されるマークである。印刷ボタンＢ４は、全ての薬剤のバーコードの読み取りが完了後、伝票を印刷する場合に押下するボタンである。図１０は、ＢＢＢＢ薬に音声なしマークＭ２が付加されている状態を示している。
【００５３】
薬剤登録装置２０のＭＰＵ３１は、印刷ボタンＢ４が押下されるか否かを判定する（ステップＳ３８）。印刷ボタンＢ４が押下されない場合に（ステップＳ３８；Ｎｏ）、薬剤登録装置２０のＭＰＵ３１は、ステップＳ３２に戻り、薬剤のバーコードの読み取りを行う。一方、印刷ボタンＢ４が押下された場合に（ステップＳ３８；Ｙｅｓ）、薬剤登録装置２０のＭＰＵ３１は、ステップＳ３９に移行する。
【００５４】
次いで、薬剤登録装置２０のＭＰＵ３１は、音声認識薬剤テーブルＴ２に登録されている薬剤と、使用薬剤記憶テーブルＴ１に登録されている薬剤とに差分が有るか否かを判定する（ステップＳ３９）。登録されている薬剤に差分が無いと判定した場合に（ステップＳ３９；Ｎｏ）、薬剤登録装置２０のＭＰＵ３１は、ステップＳ４２に移行する。一方、登録されている薬剤に差分が有ると判定した場合に（ステップＳ３９；Ｙｅｓ）、薬剤登録装置２０のＭＰＵ３１は、報知画面Ｇ４を表示させる（ステップＳ４０）。
【００５５】
図１１は、報知画面Ｇ４の一例を示す説明図である。報知画面Ｇ４は、使用薬剤記憶テーブルＴ１に登録されている薬剤と、音声認識薬剤テーブルＴ２に登録されている薬剤と比較して差分がある場合に報知する画面である。
【００５６】
使用薬剤記憶テーブルＴ１には登録されているが、音声認識薬剤テーブルＴ２には登録されていない薬剤がある場合に、医師から指示されていない薬剤を登録している可能性がある。すなわち、本来登録されるべきではない、間違った薬剤が登録されている可能性がある。よって、報知することで、患者に対して誤った薬剤代金の請求がされることを防ぐことが可能となる。更には、誤った処方が記録されたことにより誤った薬剤が投与されることを防ぐことが可能となる。
【００５７】
一方、音声認識薬剤テーブルＴ２には登録されているが、使用薬剤記憶テーブルＴ１には登録されていない薬剤がある場合に、オペレータ（看護師）は、使用した全ての薬剤のバーコードの読み取りが出来ていない可能性がある。よって、報知することで、記録漏れにより薬剤代金が請求できなくなってしまうことを防ぐことが可能となる。
【００５８】
そこで、報知画面Ｇ４は、「音声登録された薬剤とバーコード登録された薬剤とが一致していません。確認して下さい。」とのガイドメッセージを表示することで、確認を求める。その際、報知画面Ｇ４は、音声認識薬剤テーブルＴ２のみに記憶されている薬剤と、使用薬剤記憶テーブルＴ１のみに記憶されている薬剤とを列挙して表示する。また、報知画面Ｇ４は、ＯＫボタンＢ５と、キャンセルボタンＢ６とを備える。ＯＫボタンＢ５は、バーコードが読み取られていない薬剤があることを承知した上で、印刷する場合に押下するボタンである。キャンセルボタンＢ６は、印刷をキャンセルして再度、薬剤のバーコードの読み取りを行う場合に押下するボタンである。図１１は、ＤＤＤＤ薬およびＥＥＥＥ薬が音声登録のみであることを示している。そして、ＢＢＢＢ薬がバーコード登録のみであることを示している。また、報知画面Ｇ４は、音声認識薬剤テーブルＴ２のみに記憶されている薬剤と、使用薬剤記憶テーブルＴ１のみに記憶されている薬剤との一方のみを表示させてもよい。
【００５９】
ＯＫボタンＢ５が押下された場合に（ステップＳ４１；Ｙｅｓ）、薬剤登録装置２０のＭＰＵ３１は、ステップＳ４２に移行する。ＯＫボタンＢ５が押下されない場合に（ステップＳ４１；Ｎｏ）、薬剤登録装置２０のＭＰＵ３１は、ステップＳ４３に移行する。キャンセルボタンＢ６が押下されない場合に（ステップＳ４３；Ｎｏ）、薬剤登録装置２０のＭＰＵ３１は、ステップＳ４１に移行して待機する。
【００６０】
一方、キャンセルボタンＢ６が押下された場合に（ステップＳ４３；Ｙｅｓ）、薬剤登録装置２０のＭＰＵ３１は、ステップＳ３２に移行して再度のバーコードの読み取りを求める。
【００６１】
印刷を求められた薬剤登録装置２０のＭＰＵ３１は、使用品伝票Ｄの印字データを生成する（ステップＳ４２）。その際、使用薬剤記憶テーブルＴ１には登録されているが、音声認識薬剤テーブルＴ２には登録されていない薬剤がある場合に、薬剤登録装置２０のＭＰＵ３１は、音声なしマークＭ２を付加して使用品伝票Ｄの印字データを生成する。
【００６２】
次いで、薬剤登録装置２０のＭＰＵ３１は、印字データをプリンタ２３に印刷させる（ステップＳ４４）。
【００６３】
以上のように、本実施形態によれば、薬剤登録装置２０は、スキャナ２２などで登録された薬剤が記憶されている使用薬剤記憶テーブルＴ１と、音声認識で登録された薬剤が記憶されている音声認識薬剤テーブルＴ２とを有する。印字制御手段３１５は、使用薬剤記憶テーブルＴ１には登録されているが、音声認識薬剤テーブルＴ２には登録されていない薬剤には、音声なしマークＭ２を付加して印字する。これにより、医師は、指示していないが使用された薬剤を知ることができる。よって、指示してはいないが、使用された薬剤について重点的に確認すればよいことから医師の確認作業による負担を軽減することが可能となる。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６５】
なお、上記実施形態では、薬剤登録装置２０のマイク５０で音声を入力して音声認識を行っている。しかし、音声は、予め録音されたものであってもよい。この場合には、音声録音装置で医師の指示を録音する。その後、録音データをＢｌｕｅｔｏｏｔｈ（登録商標）などのインタフェースを介して外部記憶装置３４に記憶させる。そして、記憶された録音データを用いて音声認識を行えばよい。
【００６６】
なお、上記実施形態では、音声なしマークＭ１および音声なしマークＭ２は、使用薬剤記憶テーブルＴ１には登録されているが、音声認識薬剤テーブルＴ２には登録されていない薬剤がある場合に、付されると説明している。しかし、マークを付する条件は、逆であってもよい。具体的には、音声認識薬剤テーブルＴ２には登録されているが、使用薬剤記憶テーブルＴ１には登録されていない薬剤がある場合に、マークを付してもよい。この場合には、音声のみマークとすればよい。これにより、オペレータ（看護師）の薬剤の読み取りミスを防ぐことが可能になる。
【００６７】
なお、上記実施形態では、薬剤マスタＤＢ１および音声認識薬剤マスタＤＢ２は、外部記憶装置３４に記憶されていると説明している。しかし、薬剤マスタＤＢ１および音声認識薬剤マスタＤＢ２は、電子カルテサーバ１１や薬剤部サーバ１９などに記憶されていてもよい。この場合には、通信インタフェース３８を介してアクセスすればよい。
【００６８】
なお、上記実施形態では、音声認識薬剤テーブルＴ２には登録されているが、使用薬剤記憶テーブルＴ１には登録されていない薬剤がある場合に報知すると説明している。しかし、報知する条件は、逆であってもよい。具体的には、使用薬剤記憶テーブルＴ１には登録されているが、音声認識薬剤テーブルＴ２には登録されていない薬剤がある場合に、報知してもよい。
【００６９】
なお、上記実施形態では、薬剤に付されたバーコードや二次元コードなどのコードシンボルからコード情報を読み取ると説明しているが、コード情報は、コードシンボル以外であってもよい。例えば、コード情報は、ＲＦＩＤなどからコード情報を読み取るとしてもよい。この場合には、ＲＦＩＤリーダライタ等を新たに備えればよい。
【００７０】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７１】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００７２】
２０        薬剤登録装置
５０        マイク
３４        外部記憶装置
Ｔ１        使用薬剤記憶テーブル
ＤＢ１      薬剤マスタ
Ｔ２        音声認識薬剤テーブル
ＤＢ２      音声認識薬剤マスタ
Ｄ          使用品伝票
Ｇ１        音声認識画面
Ｇ４        報知画面
Ｍ１、Ｍ２  音声なしマーク
【先行技術文献】
【特許文献】
【００７３】
【特許文献１】特開２００２−１６３３５７号公報
【図１】
0005847145.tif 000002
【図２】
0005847145.tif 000003
【図３】
0005847145.tif 000004
【図４】
0005847145.tif 000005
【図５】
0005847145.tif 000006
【図６】
0005847145.tif 000007
【図７】
0005847145.tif 000008
【図８】
0005847145.tif 000009
【図９】
0005847145.tif 000010
【図１０】
0005847145.tif 000011
【図１１】
0005847145.tif 000012